【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】
映像データまたは音声データその他のディジタルデータ情報を表現し且つディジタルデータストリームの管理を支援するためにオリジナルナビゲーションデータを表現する１以上のストリームオブジェクト(SOB)に組織されたディジタルデータストリームより成る、記憶媒体に記録されたプログラムの一部を一時的に消去する方法であって、前記ナビゲーションデータは、１以上のセルを含み、前記セルはストリームセル情報(SCI)によって前記ストリームオブジェクト(SOB)に論理的に関連付けられ、前記ストリームオブジェクト(SOB)は１以上のストリームオブジェクトユニット(SOBU)より成り、当該方法は、
(A)  前記ストリームオブジェクト(SOB)の一部が一時的に消去されるように意図された場合に、対応するストリームオブジェクト(SOB)の新規のナビゲーションデータ(セル#k,  セル#k+1,  セル#k+2)を生成するステップであって、前記新規のナビゲーションデータ(セル#k,  セル#k+1,  セル#k+2)は、前記ナビゲーションデータ(セル#k,  セル#k+1,  セル#k+2)の前記対応するストリームセル情報(SCI)が、以下の(a1)乃至(a4)の規則に従って前記ストリームオブジェクト(SOB)の消去されるべき部分の範囲に依存して分割されるよう生成され、
(a1)では、一時的に消去されるプログラムの一部が、現在のセル(セル#k)の開始も前記現在のセル(セル#k)の終了もカバーしない場合に、前記現在のセル(セル#k)が３つの部分に分割され、第１の部分(セル#k)は、表示可能なストリームオブジェクト  (SOB)の第1部分に割り当てられ、第２の部分(セル#k+1)は、一時的に消去されそのために表示されないストリームオブジェクト(SOB)の第２部分に割り当てられ、第３の部分(セル#k+2)は、表示可能なストリームオブジェクト(SOB)の第３部分に割り当てられ、
(a2)では、一時的に消去されるプログラムの一部が、前記現在のセル(セル#k)の開始をカバーするが前記現在のセル(セル#k)の終了はカバーしない場合に、前記現在のセル(セル#k)が２つの部分に分割され、第１の部分(セル#k)は、一時的に消去されそのために表示されないストリームオブジェクト(SOB)の第１部分に割り当てられ、第２の部分(セル#k+1)は、表示可能な前記ストリームオブジェクト(SOB)の第２部分に割り当てられ；
(a3)では、一時的に消去されるプログラムの一部が、前記現在のセル(セル#k)の開始をカバーしないが前記現在のセル(セル#k)の終了はカバーする場合に、前記現在のセル(セル#k)が２つの部分に分割され、第１の部分(セル#k)は、表示可能なストリームオブジェクト(SOB)の第１部分に割り当てられ、第２の部分(セル#k+1)は、一時的に消去されそのために表示されないストリームオブジェクト(SOB)の第２部分に割り当てられ；
(a4)では、一時的に消去されるプログラムの一部が、前記現在のセル(セル#k)の開始および終了をカバーする場合に、前記ストリームオブジェクト(SOB)の前記部分を表現する前記現在のセル(セル#k)が、表示可能な状態から一時的に完全に消去されそのために表示されない状態へ変更されるようにしたステップと、
(B)  前記ストリームオブジェクト(SOB)と共に前記新規のナビゲーションデータ(セル#k,  セル#k+1,  セル#k+2)のリンクを形成するステップと、
(C)  対応する当初のナビゲーションデータ(セル#k)を前記新規のナビゲーションデータ(セル#k,  セル#k+1,  セル#k+2)で置換するステップとを有する方法。
【請求項２】
生成したナビゲーションデータ(セル#k,  セル#k+1,  セル#k+2)内で、一時的に消去されるセルに対して、ストリームセル開始アプリケーションパケット到着時間(SC_S_APAT)およびストリームセル終了アプリケーションパケット到着時間(SC_E_APAT)を設定し、
前記ストリームセル開始アプリケーションパケット到着時間(SC_S_APAT)が、ストリームオブジェクトユニット(SOBU)の第１アプリケーションパケットのアプリケーションパケット到着時間(APAT)に等しい請求項１記載の方法。
【請求項３】
以下の規則に従ってストリームセル開始アプリケーションパケット到着時間(SC_S_APAT)が設定される請求項２記載の方法であって、
一時的に消去される前記ストリームオブジェクト(SOB)の一部が、前記ストリームオブジェクト(SOB)の開始をカバーする場合には、前記ストリームセル開始アプリケーションパケット到着時間(SC_S_APAT)が、前記ストリームオブジェクト(SOB)の前記第１ストリームオブジェクトユニット(SOBU)の前記第１アプリケーションパケットの前記アプリケーションパケット到着時間(APAT)に等しく、
一時的に消去される前記ストリームオブジェクト(SOB)の一部が、前記ストリームオブジェクト(SOB)の開始をカバーしない場合には、ストリームセル開始アプリケーションパケット到着時間(SC_S_APAT)は、一時的に消去されるセルの前記第１アプリケーションパケットの前記アプリケーションパケット到着時間(APAT)に等しいか又はより大きく、前記ストリームセル開始アプリケーションパケット到着時間(SC_S_APAT)は、一時的に消去されるセルの前記第１アプリケーションパケットの前記アプリケーションパケット到着時間(APAT)にできるだけ接近し、
前記ストリームセル終了アプリケーションパケット到着時間(SC_E_APAT)が、ストリームオブジェクトユニット(SOBU)の前記第１アプリケーションパケットの前記アプリケーションパケット到着時間(APAT)に等しく、
一時的に消去される前記ストリームオブジェクト(SOB)の一部が、前記ストリームオブジェクト(SOB)の終了をカバーする場合には、前記ストリームセル開始アプリケーションパケット到着時間(SC_E_APAT)は、このストリームオブジェクト(SOB)の最終ストリームオブジェクトユニット(SOBU)直後のストリームオブジェクトユニット(SOBU)の前記第１アプリケーションパケットの前記第１アプリケーションパケット到着時間(APAT)に等しく、
一時的に消去される前記ストリームオブジェクト(SOB)の一部が、前記ストリームオブジェクト(SOB)の終了をカバーしない場合には、前記ストリームセル終了アプリケーションパケット到着時間(SC_E_APAT)が、一時的に消去されるセルの最終アプリケーションパケット直後のアプリケーションパケットの前記アプリケーションパケット到着時間(APAT)に等しいか又はより小さく、ストリームセル終了アプリケーションパケット到着時間(SC_E_APAT)が、一時的に消去されるセルの最終アプリケーションパケットの前記アプリケーションパケット到着時間(APAT)にできるだけ接近する方法。
【請求項４】
生成したナビゲーションデータ(セル#k,  セル#k+1,  セル#k+2)内で、一時的に消去される前記ストリームオブジェクト(SOB)の一部に対して、消去開始アプリケーションパケット到着時間(ERA_S_APAT)を設定し、
前記消去開始アプリケーションパケット到着時間(ERA_S_APAT)が、ストリームオブジェクトユニット(SOBU)の第１アプリケーションパケットのアプリケーションパケット到着時間(APAT)に等しい請求項１記載の方法。
【請求項５】
以下の規則によって前記消去開始アプリケーションパケット到着時間(ERA_S_APAT)を設定する請求項４記載の方法であって、
前記消去開始アプリケーションパケット到着時間(ERA_S_APAT)が、ストリームオブジェクトユニット(SOBU)の第１アプリケーションパケットのアプリケーションパケット到着時間(APAT)に等しく、
一時的に消去される前記ストリームオブジェクト(SOB)の一部が、前記ストリームオブジェクト(SOB)の開始をカバーする場合には、前記消去開始アプリケーションパケット到着時間(ERA_S_APAT)が、前記ストリームオブジェクト(SOB)の前記第１ストリームオブジェクトユニット(SOBU)の前記第１アプリケーションパケットの前記アプリケーションパケット到着時間(APAT)に等しく、
一時的に消去される前記ストリームオブジェクト(SOB)の一部が、前記ストリームオブジェクト(SOB)の開始をカバーしない場合には、消去開始アプリケーションパケット到着時間(ERA_S_APAT)が、一時的に消去される前記ストリームオブジェクト(SOB)の一部の第１アプリケーションパケットの前記アプリケーションパケット到着時間(APAT)に等しいか又はより大きく、消去開始アプリケーションパケット到着時間(ERA_S_APAT)が、一時的に消去される前記ストリームオブジェクト(SOB)の一部の前記第１アプリケーションパケットの前記アプリケーションパケット到着時間(APAT)にできるだけ接近し、
消去終了アプリケーションパケット到着時間(ERA_E_APAT)が、ストリームオブジェクトユニット(SOBU)の前記第１アプリケーションパケットの前記アプリケーションパケット到着時間(APAT)に等しく、
一時的に消去される前記ストリームオブジェクト(SOB)の一部が、前記ストリームオブジェクト(SOB)の終了をカバーする場合に、消去終了アプリケーションパケット到着時間(ERA_E_APAT)が、このストリームオブジェクト(SOB)の最終ストリームオブジェクトユニット(SOBU)直後のストリームオブジェクトユニット(SOBU)の前記第１アプリケーションパケットの前記第１アプリケーションパケット到着時間(APAT)に等しく；
一時的に消去される前記ストリームオブジェクト(SOB)の一部が、前記ストリームオブジェクト(SOB)の終了をカバーしない場合には、消去終了アプリケーションパケット到着時間(ERA_E_APAT)が、一時的に消去されるストリームオブジェクト(SOB)の一部の最終アプリケーションパケット直後のアプリケーションパケットの前記アプリケーションパケット到着時間(APAT)に等しいか又はより小さい方法。
【請求項６】
生成したナビゲーションデータ(セル#k,  セル#k+1,  セル#k+2)内で、一時的に消去される前記ストリームオブジェクト(SOB)の一部に対して、消去終了アプリケーションパケット到着時間(ERA_E_APAT)を設定し、
前記消去終了アプリケーションパケット到着時間(ERA_E_APAT)が、ストリームオブジェクトユニット(SOBU)の第１アプリケーションパケットのアプリケーションパケット到着時間(APAT)に等しい請求項４記載の方法。
【請求項７】
前記消去終了アプリケーションパケット到着時間(ERA_E_APAT)が、一時的に消去される前記ストリームオブジェクト(SOB)の一部の最終アプリケーションパケットの前記アプリケーションパケット到着時間(APAT)にできるだけ接近する請求項６記載の方法。
【請求項８】
生成したナビゲーションデータ(セル#k,  セル#k+1,  セル#k+2)内で、一時的に消去される前記ストリームオブジェクト(SOB)の一部に対して、ストリームセル開始アプリケーションパケット到着時間(SC_S_APAT)およびストリームセル終了アプリケーションパケット到着時間(SC_E_APAT)を設定し、
前記ストリームセル開始アプリケーションパケット到着時間(SC_S_APAT)が、一時的に消去される前記ストリームオブジェクト(SOB)の一部の前記第１アプリケーションパケットの前記アプリケーションパケット到着時間(APAT)に等しく、ストリームセル終了アプリケーションパケット到着時間(SC_E_APAT)が、一時的に消去される前記ストリームオブジェクト(SOB)の一部の最終アプリケーションパケットのアプリケーションパケット到着時間(APAT)に等しい請求項４記載の方法。
【請求項９】
映像データまたは音声データその他のディジタルデータ情報を表現し且つディジタルデータストリームの管理を支援するためにオリジナルナビゲーションデータ(セル#k)を表現する１以上のストリームオブジェクト(SOB)に組織されたディジタルデータストリームより成る、記憶媒体に記録されたプログラムの一部を永久的に消去する方法であって、前記ナビゲーションデータは、１以上のセルを含み、前記セルはストリームセル情報(SCI)によって前記ストリームオブジェクト(SOB)に論理的に関連付けられ、前記ストリームオブジェクト(SOB)は１以上のストリームオブジェクトユニット(SOBU)より成り、前記プログラムの一部は永久的に消去される前に以下のステップ(A)、（B）及び（C）を用いて一時的に消去され、当該方法は、
(A)  前記ストリームオブジェクト(SOB)の一部が一時的に消去されるように意図された場合に、対応するストリームオブジェクト(SOB)の新規のナビゲーションデータ(セル#k,  セル#k+1,  セル#k+2)が生成されるステップであって、前記新規のナビゲーションデータ(セル#k,  セル#k+1,  セル#k+2)は、前記ナビゲーションデータ(セル#k,  セル#k+1,  セル#k+2)の前記対応するストリームセル情報(SCI)が、以下の(a1)乃至(a4)の規則に従って前記ストリームオブジェクト(SOB)の消去されるべき部分の範囲に依存して分割されるよう生成され、
(a1)では、一時的に消去されるプログラムの一部が、現在のセル(セル#k)の開始も前記現在のセル(セル#k)の終了もカバーしない場合に、前記現在のセル(セル#k)が３つの部分に分割され、第１の部分(セル#k)は、表示可能なストリームオブジェクト  (SOB)の第1部分に割り当てられ、第２の部分(セル#k+1)は、一時的に消去されそのために表示されないストリームオブジェクト(SOB)の第２部分に割り当てられ、第３の部分(セル#k+2)は、表示可能なストリームオブジェクト(SOB)の第３部分に割り当てられ、
(a2)では、一時的に消去されるプログラムの一部が、前記現在のセル(セル#k)の開始をカバーするが前記現在のセル(セル#k)の終了はカバーしない場合に、前記現在のセル(セル#k)が２つの部分に分割され、第１の部分(セル#k)は、一時的に消去されそのために表示されないストリームオブジェクト(SOB)の第１部分に割り当てられ、第２の部分(セル#k+1)は、表示可能な前記ストリームオブジェクト(SOB)の第２部分に割り当てられ；
(a3)では、一時的に消去されるプログラムの一部が、前記現在のセル(セル#k)の開始をカバーしないが前記現在のセル(セル#k)の終了はカバーする場合に、前記現在のセル(セル#k)が２つの部分に分割され、第１の部分(セル#k)は、表示可能なストリームオブジェクト(SOB)の第１部分に割り当てられ、第２の部分(セル#k+1)は、一時的に消去されそのために表示されないストリームオブジェクト(SOB)の第２部分に割り当てられ；
(a4)では、一時的に消去されるプログラムの一部が、前記現在のセル(セル#k)の開始および終了をカバーする場合に、前記ストリームオブジェクト(SOB)の前記部分を表現する前記現在のセル(セル#k)が、表示可能な状態から一時的に完全に消去されそのために表示されない状態へ変更されるようにしたステップと、
(B)  前記ストリームオブジェクト(SOB)と共に前記新規のナビゲーションデータ(セル#k,  セル#k+1,  セル#k+2)のリンクを形成するステップと、
(C)  対応する当初のナビゲーションデータ(セル#k)が前記新規のナビゲーションデータ(セル#k,  セル#k+1,  セル#k+2)で置換されるステップとを有し、
前記一時的に消去されるセル部分に対応するセル部分に続くセル部分を、前記一時的に消去されるセル部分に先行するセル部分に向けてシフトすることで、前記一時的に消去されるセル部分に対応するセル部分が永久的に消去され、該シフトされたセル部分に新規のストリームオブジェクト(SOB#n+1)が割り当てられ、
対応するストリームファイル情報、オリジナルプログラムチェーン情報及びユーザ定義プログラムチェーン情報を更新し、ストリームファイル情報、オリジナルプログラムチェーン情報及びユーザ定義プログラムチェーン情報は前記記憶媒体の前記ナビゲーションデータに含まれている方法。
【請求項１０】
映像データまたは音声データその他のディジタルデータ情報を表現し且つディジタルデータストリームの管理を支援するためにオリジナルナビゲーションデータ(セル#k)を表現する１以上のストリームオブジェクト(SOB)に組織されたディジタルデータストリームより成る、記憶媒体に記録されたプログラムの一時的に消去された部分を回復する方法であって、前記ナビゲーションデータは、１以上のセルを含み、前記セルはストリームセル情報(SCI)によって前記ストリームオブジェクト(SOB)に論理的に関連付けられ、前記ストリームオブジェクト(SOB)は１以上のストリームオブジェクトユニット(SOBU)より成り、前記プログラムの一部は以下のステップ(A)、（B）及び（C）を用いて一時的に消去され、当該方法は、
(A)  前記ストリームオブジェクト(SOB)の一部が一時的に消去されるように意図された場合に、対応するストリームオブジェクト(SOB)の新規のナビゲーションデータ(セル#k,  セル#k+1,  セル#k+2)が生成されるステップであって、前記新規のナビゲーションデータ(セル#k,  セル#k+1,  セル#k+2)は、前記ナビゲーションデータ(セル#k,  セル#k+1,  セル#k+2)の前記対応するストリームセル情報(SCI)が、以下の(a1)乃至(a4)の規則に従って前記ストリームオブジェクト(SOB)の消去されるべき部分の範囲に依存して分割されるよう生成され、
(a1)では、一時的に消去されるプログラムの一部が、現在のセル(セル#k)の開始も前記現在のセル(セル#k)の終了もカバーしない場合に、前記現在のセル(セル#k)が３つの部分に分割され、第１の部分(セル#k)は、表示可能なストリームオブジェクト  (SOB)の第1部分に割り当てられ、第２の部分(セル#k+1)は、一時的に消去されそのために表示されないストリームオブジェクト(SOB)の第２部分に割り当てられ、第３の部分(セル#k+2)は、表示可能なストリームオブジェクト(SOB)の第３部分に割り当てられ、
(a2)では、一時的に消去されるプログラムの一部が、前記現在のセル(セル#k)の開始をカバーするが前記現在のセル(セル#k)の終了はカバーしない場合に、前記現在のセル(セル#k)が２つの部分に分割され、第１の部分(セル#k)は、一時的に消去されそのために表示されないストリームオブジェクト(SOB)の第１部分に割り当てられ、第２の部分(セル#k+1)は、表示可能な前記ストリームオブジェクト(SOB)の第２部分に割り当てられ；
(a3)では、一時的に消去されるプログラムの一部が、前記現在のセル(セル#k)の開始をカバーしないが前記現在のセル(セル#k)の終了はカバーする場合に、前記現在のセル(セル#k)が２つの部分に分割され、第１の部分(セル#k)は、表示可能なストリームオブジェクト(SOB)の第１部分に割り当てられ、第２の部分(セル#k+1)は、一時的に消去されそのために表示されないストリームオブジェクト(SOB)の第２部分に割り当てられ；
(a4)では、一時的に消去されるプログラムの一部が、前記現在のセル(セル#k)の開始および終了をカバーする場合に、前記ストリームオブジェクト(SOB)の前記部分を表現する前記現在のセル(セル#k)が、表示可能な状態から一時的に完全に消去されそのために表示されない状態へ変更されるようにしたステップと、
(B)  前記ストリームオブジェクト(SOB)と共に前記新規のナビゲーションデータ(セル#k,  セル#k+1,  セル#k+2)のリンクを形成するステップと、
(C)  対応する当初のナビゲーションデータ(セル#k)が前記新規のナビゲーションデータ(セル#k,  セル#k+1,  セル#k+2)で置換されるステップとを有し、当該方法は、
前記一時的に消去されるセル部分に対応するセル部分及び前記一時的に消去されるセル部分に対応するセル部分に続くセル部分と、前記一時的に消去されるセル部分に先行するセル部分とを結合し、１つのセルを再生して分割前に戻すステップと、
前記回復後に前記対応するナビゲーションデータが一時的に消去される前の状態に一致するように、前記記憶媒体のナビゲーションデータを更新するステップと、
を有する方法。
【請求項１１】
映像データまたは音声データその他のディジタルデータ情報を表現し且つディジタルデータストリームの管理を支援するためにオリジナルナビゲーションデータ(セル#k)を表現する１以上のストリームオブジェクト(SOB)に組織されたディジタルデータストリームより成る、記憶媒体に記録されたプログラムの一時的に消去される部分を記録中に再利用する方法であって、前記ナビゲーションデータは、１以上のセルを含み、前記セルはストリームセル情報(SCI)によって前記ストリームオブジェクト(SOB)に論理的に関連付けられ、前記ストリームオブジェクト(SOB)は１以上のストリームオブジェクトユニット(SOBU)より成り、前記プログラムの一部は再利用前に以下のステップ(A)、（B）及び（C）を用いて一時的に消去され、当該方法は、
(A)  前記ストリームオブジェクト(SOB)の一部が一時的に消去されるように意図された場合に、対応するストリームオブジェクト(SOB)の新規のナビゲーションデータ(セル#k,  セル#k+1,  セル#k+2)が生成されるステップであって、前記新規のナビゲーションデータ(セル#k,  セル#k+1,  セル#k+2)は、前記ナビゲーションデータ(セル#k,  セル#k+1,  セル#k+2)の前記対応するストリームセル情報(SCI)が、以下の(a1)乃至(a4)の規則に従って前記ストリームオブジェクト(SOB)の消去されるべき部分の範囲に依存して分割されるよう生成され、
(a1)では、一時的に消去されるプログラムの一部が、現在のセル(セル#k)の開始も前記現在のセル(セル#k)の終了もカバーしない場合に、前記現在のセル(セル#k)が３つの部分に分割され、第１の部分(セル#k)は、表示可能なストリームオブジェクト  (SOB)の第1部分に割り当てられ、第２の部分(セル#k+1)は、一時的に消去されそのために表示されないストリームオブジェクト(SOB)の第２部分に割り当てられ、第３の部分(セル#k+2)は、表示可能なストリームオブジェクト(SOB)の第３部分に割り当てられ、
(a2)では、一時的に消去されるプログラムの一部が、前記現在のセル(セル#k)の開始をカバーするが前記現在のセル(セル#k)の終了はカバーしない場合に、前記現在のセル(セル#k)が２つの部分に分割され、第１の部分(セル#k)は、一時的に消去されそのために表示されないストリームオブジェクト(SOB)の第１部分に割り当てられ、第２の部分(セル#k+1)は、表示可能な前記ストリームオブジェクト(SOB)の第２部分に割り当てられ；
(a3)では、一時的に消去されるプログラムの一部が、前記現在のセル(セル#k)の開始をカバーしないが前記現在のセル(セル#k)の終了はカバーする場合に、前記現在のセル(セル#k)が２つの部分に分割され、第１の部分(セル#k)は、表示可能なストリームオブジェクト(SOB)の第１部分に割り当てられ、第２の部分(セル#k+1)は、一時的に消去されそのために表示されないストリームオブジェクト(SOB)の第２部分に割り当てられ；
(a4)では、一時的に消去されるプログラムの一部が、前記現在のセル(セル#k)の開始および終了をカバーする場合に、前記ストリームオブジェクト(SOB)の前記部分を表現する前記現在のセル(セル#k)が、表示可能な状態から一時的に完全に消去されそのために表示されない状態へ変更されるようにしたステップと、
(B)  前記ストリームオブジェクト(SOB)と共に前記新規のナビゲーションデータ(セル#k,  セル#k+1,  セル#k+2)のリンクを形成するステップと、
(C)  対応する当初のナビゲーションデータ(セル#k)が前記新規のナビゲーションデータ(セル#k,  セル#k+1,  セル#k+2)で置換されるステップとを有し、
一時的に消去されるプログラムの部分を記録中に再利用する当該方法は、
ストリームオブジェクトユニットの正確な位置を特定可能にする、消去アプリケーションパケット到着時間スタンプ(ERA_S_APAT,ERA_E_APAT)の一時的に消去されるセル部分をサーチするステップ(MARL)と、
一時的に消去されるプログラムの部分だけの完全なストリームオブジェクトユニット(SOBU)の再利用及び永久的な消去を行うステップと、
を有する方法。
【請求項１２】
生成したナビゲーションデータ(セル#k,  セル#k+1,  セル#k+2)内で、一時的に消去されるセルに対して、ストリームセル開始アプリケーションパケット到着時間(SC_S_APAT)およびストリームセル終了アプリケーションパケット到着時間(SC_E_APAT)が設定され、
前記ストリームセル開始アプリケーションパケット到着時間(SC_S_APAT)が、ストリームオブジェクトユニット(SOBU)の第１アプリケーションパケットのアプリケーションパケット到着時間(APAT)に等しい請求項９乃至１１の何れか１項に記載の方法。
【請求項１３】
以下の規則に従ってストリームセル開始アプリケーションパケット到着時間(SC_S_APAT)が設定される請求項１２記載の方法であって、
一時的に消去される前記ストリームオブジェクト(SOB)の一部が、前記ストリームオブジェクト(SOB)の開始をカバーする場合には、前記ストリームセル開始アプリケーションパケット到着時間(SC_S_APAT)が、前記ストリームオブジェクト(SOB)の前記第１ストリームオブジェクトユニット(SOBU)の前記第１アプリケーションパケットの前記アプリケーションパケット到着時間(APAT)に等しく、
一時的に消去される前記ストリームオブジェクト(SOB)の一部が、前記ストリームオブジェクト(SOB)の開始をカバーしない場合には、ストリームセル開始アプリケーションパケット到着時間(SC_S_APAT)は、一時的に消去されるセルの前記第１アプリケーションパケットの前記アプリケーションパケット到着時間(APAT)に等しいか又はより大きく、前記ストリームセル開始アプリケーションパケット到着時間(SC_S_APAT)は、一時的に消去されるセルの前記第１アプリケーションパケットの前記アプリケーションパケット到着時間(APAT)にできるだけ接近し、
前記ストリームセル終了アプリケーションパケット到着時間(SC_E_APAT)が、ストリームオブジェクトユニット(SOBU)の前記第１アプリケーションパケットの前記アプリケーションパケット到着時間(APAT)に等しく、
一時的に消去される前記ストリームオブジェクト(SOB)の一部が、前記ストリームオブジェクト(SOB)の終了をカバーする場合には、前記ストリームセル開始アプリケーションパケット到着時間(SC_E_APAT)は、このストリームオブジェクト(SOB)の最終ストリームオブジェクトユニット(SOBU)直後のストリームオブジェクトユニット(SOBU)の前記第１アプリケーションパケットの前記第１アプリケーションパケット到着時間(APAT)に等しく、
一時的に消去される前記ストリームオブジェクト(SOB)の一部が、前記ストリームオブジェクト(SOB)の終了をカバーしない場合には、前記ストリームセル終了アプリケーションパケット到着時間(SC_E_APAT)が、一時的に消去されるセルの最終アプリケーションパケット直後のアプリケーションパケットの前記アプリケーションパケット到着時間(APAT)に等しいか又はより小さく、ストリームセル終了アプリケーションパケット到着時間(SC_E_APAT)が、一時的に消去されるセルの最終アプリケーションパケットの前記アプリケーションパケット到着時間(APAT)にできるだけ接近する方法。
【請求項１４】
生成したナビゲーションデータ(セル#k,  セル#k+1,  セル#k+2)内で、一時的に消去される前記ストリームオブジェクト(SOB)の一部に対して、消去開始アプリケーションパケット到着時間(ERA_S_APAT)を設定し、
前記消去開始アプリケーションパケット到着時間(ERA_S_APAT)が、ストリームオブジェクトユニット(SOBU)の第１アプリケーションパケットのアプリケーションパケット到着時間(APAT)に等しい請求項９乃至１３の何れか１項に記載の方法。
【請求項１５】
生成したナビゲーションデータ(セル#k,  セル#k+1,  セル#k+2)内で、一時的に消去される前記ストリームオブジェクト(SOB)の一部に対して、消去開始アプリケーションパケット到着時間(ERA_S_APAT)を設定し、
前記消去終了アプリケーションパケット到着時間(ERA_E_APAT)が、ストリームオブジェクトユニット(SOBU)の第１アプリケーションパケットのアプリケーションパケット到着時間(APAT)に等しい請求項１４記載の方法。
【請求項１６】
以下の規則によって前記消去開始アプリケーションパケット到着時間(ERA_S_APAT)を設定する請求項４記載の方法であって、
前記消去開始アプリケーションパケット到着時間(ERA_S_APAT)が、ストリームオブジェクトユニット(SOBU)の第１アプリケーションパケットのアプリケーションパケット到着時間(APAT)に等しく、
一時的に消去される前記ストリームオブジェクト(SOB)の一部が、前記ストリームオブジェクト(SOB)の開始をカバーする場合には、前記消去開始アプリケーションパケット到着時間(ERA_S_APAT)が、前記ストリームオブジェクト(SOB)の前記第１ストリームオブジェクトユニット(SOBU)の前記第１アプリケーションパケットの前記アプリケーションパケット到着時間(APAT)に等しく、
一時的に消去される前記ストリームオブジェクト(SOB)の一部が、前記ストリームオブジェクト(SOB)の開始をカバーしない場合には、消去開始アプリケーションパケット到着時間(ERA_S_APAT)が、一時的に消去される前記ストリームオブジェクト(SOB)の一部の第１アプリケーションパケットの前記アプリケーションパケット到着時間(APAT)に等しいか又はより大きく、消去開始アプリケーションパケット到着時間(ERA_S_APAT)が、一時的に消去される前記ストリームオブジェクト(SOB)の一部の前記第１アプリケーションパケットの前記アプリケーションパケット到着時間(APAT)にできるだけ接近し、
消去終了アプリケーションパケット到着時間(ERA_E_APAT)が、ストリームオブジェクトユニット(SOBU)の前記第１アプリケーションパケットの前記アプリケーションパケット到着時間(APAT)に等しく、
一時的に消去される前記ストリームオブジェクト(SOB)の一部が、前記ストリームオブジェクト(SOB)の終了をカバーする場合に、消去終了アプリケーションパケット到着時間(ERA_E_APAT)が、このストリームオブジェクト(SOB)の最終ストリームオブジェクトユニット(SOBU)直後のストリームオブジェクトユニット(SOBU)の前記第１アプリケーションパケットの前記第１アプリケーションパケット到着時間(APAT)に等しく；
一時的に消去される前記ストリームオブジェクト(SOB)の一部が、前記ストリームオブジェクト(SOB)の終了をカバーしない場合には、消去終了アプリケーションパケット到着時間(ERA_E_APAT)が、一時的に消去されるストリームオブジェクト(SOB)の一部の最終アプリケーションパケット直後のアプリケーションパケットの前記アプリケーションパケット到着時間(APAT)に等しいか又はより小さい方法。
【請求項１７】
前記消去終了アプリケーションパケット到着時間(ERA_E_APAT)が、一時的に消去される前記ストリームオブジェクト(SOB)の一部の最終アプリケーションパケットの前記アプリケーションパケット到着時間(APAT)にできるだけ接近する請求項１６記載の方法。
【請求項１８】
生成したナビゲーションデータ(セル#k,  セル#k+1,  セル#k+2)内で、一時的に消去される前記ストリームオブジェクト(SOB)の一部に対して、ストリームセル開始アプリケーションパケット到着時間(SC_S_APAT)及びストリームセル終了アプリケーションパケット到着時間(SC_E_APAT)を設定し、
前記ストリームセル開始アプリケーションパケット到着時間(SC_S_APAT)が、一時的に消去される前記ストリームオブジェクト(SOB)の部分の第１アプリケーションパケットのアプリケーションパケット到着時間(APAT)に等しく、
前記ストリームセル終了アプリケーションパケット到着時間（SC_E_APAT）が、一時的に消去される前記ストリームオブジェクト(SOB)の一部の最終アプリケーションパケットのアプリケーションパケット到着時間(APAT)に等しい請求項１４記載の方法。
【請求項１９】
一時的に消去されるセル部分がストリームオブジェクトユニット(SOBU)の開始又は終了アプリケーションパケットをカバーする場合にのみ、この一時的に消去されるセル部分が、消去開始アプリケーションパケット到着時間(ERA_S_APAT)及び消去終了アプリケーションパケット到着時間(ERA_E_APAT)を含む請求項１１，１６又は１７に記載の方法。